(57)【要約】【課題】保護シートの貼着位置の位置決め後に、保護シートを表示画面に貼着する作業で位置ずれが生じることを防止することができる保護シート用位置決めシート及び保護シート付位置決めシートを提供する。【解決手段】上記課題を解決するために、電子機器３の表示画面３１に対する保護シート２の貼着位置を決定するための保護シート用位置決めシート１であって、その一方面に着脱自在に保護シート２の粘着面が貼り付けられ、切り込み部１１が形成されて、この切り込み部１１によって複数の分割領域１Ａ、１Ｂに分割可能に形成され、その他方面における、少なくとも何れか一つの分割領域に滑り止め部１２が形成された、ことを特徴とする。【選択図】図３
2016092496.tif 000002
【特許請求の範囲】
【請求項１】
電子機器の表示画面に対する保護シートの貼着位置を決定するための保護シート用位置決めシートであって、
その一方面に着脱自在に前記保護シートの粘着面が貼り付けられ、
切り込み部が形成されて、この切り込み部によって複数の分割領域に分割可能に形成され、
その他方面における、少なくとも何れか一つの分割領域に滑り止め部が形成された、
ことを特徴とする保護シート用位置決めシート。
【請求項２】
前記切り込み部は、直線状に延びるように形成されており、
前記滑り止め部には、ユーザの指を置く領域が、前記切り込み部の延びる方向に並んで、複数設けられている、
ことを特徴とする請求項１に記載の保護シート用位置決めシート。
【請求項３】
前記切り込み部は、前記一方面まで貫通しないように、前記他方面に形成されている、
ことを特徴とする請求項１又は２に記載の保護シート用位置決めシート。
【請求項４】
前記滑り止め部は、ポリウレタン製シートで形成されている、
ことを特徴とする請求項１から３の何れかに記載の保護シート用位置決めシート。
【請求項５】
前記滑り止め部の厚みは、0.05ｍｍ以上、0.5ｍｍ以下である、
ことを特徴とする請求項４に記載の保護シート用位置決めシート。
【請求項６】
請求項１から５の何れかに記載の保護シート用位置決めシートと、
前記保護シート用位置決めシートの一方面に、その粘着面が貼り付けられた前記保護シートと、
を備えたことを特徴とする保護シート付位置決めシート。
【発明の詳細な説明】
【技術分野】
【０００１】
本発明は、電子機器の表示画面に対する保護シートの貼着位置を決定するための保護シート用位置決めシートに関し、特に、保護シートの貼着位置の位置決め後に、保護シートを表示画面に貼着する作業で位置ずれが生じることを防止する構造に特徴がある。
【背景技術】
【０００２】
従来、特許文献１で示すように、スマートフォンやタブレット端末等の電子機器の表示画面に対して、保護シートを貼着する際に、保護シートの貼着位置を決定するための透明のガイドシートは知られている。この様なガイドシートは、保護シートの非粘着面に重合され、位置決めのためのガイドマークＡが表示される。そして、電子機器の表示画面に、ガイドマークＢを表示させ、ユーザが、表示画面に表示されたガイドマークＢと、ガイドシートのガイドマークＡとが一致するように、保護シートの貼着位置を調節しながら、保護シートの粘着面を表示画面に貼着することができる。その後に、ガイドシートを保護シートから剥がす。
【先行技術文献】
【特許文献】
【０００３】
【特許文献１】特開２０１３−１６１３０８号公報
【発明の概要】
【発明が解決しようとする課題】
【０００４】
特許文献１に記載のガイドシートでは、ガイドシートを用いて保護シートの貼着位置を決定することができるが、保護シートを表示画面に貼着する作業において、ユーザが、手振れ等により、決定した貼着位置に保護シートを貼れない位置ずれが生じ易かった。
【０００５】
そこで、本発明は、保護シートの貼着位置の位置決め後に、保護シートを表示画面に貼着する作業で位置ずれが生じることを防止することができる保護シート用位置決めシート及び保護シート付位置決めシートを提供することを目的とする。
【課題を解決するための手段】
【０００６】
（１）上記課題を解決するために、本発明の一局面は、電子機器の表示画面に対する保護シートの貼着位置を決定するための保護シート用位置決めシートであって、その一方面に着脱自在に前記保護シートの粘着面が貼り付けられ、切り込み部が形成されて、この切り込み部によって複数の分割領域に分割可能に形成され、その他方面における、少なくとも何れか一つの分割領域に滑り止め部が形成された、ことを特徴とする。
【０００７】
上記構成によれば、ユーザが、保護シート用位置決めシートを介して、保護シートを電子機器の表示画面上に配置し、この配置位置を調整して保護シートの貼着位置を決定し、この後、ユーザが、保護シートの上から指等で滑り止め部を電子機器（表示画面等）に対して押し付けながら、保護シート用位置決めシートを上方に摘んで引っ張る。このとき、切り込み部によって、保護シート用位置決めシートが分割される。分割領域のうち滑り止め部が形成されていない領域を保護シートの粘着面から切り込み部に沿って剥がしつつ、保護シート用位置決めシートが剥がされた箇所から、表示画面に順次貼着していく。その後に、残りの保護シート用位置決めシートを保護シートから剥がしつつ、この位置決めシートが剥がされた保護シートの部分を表示画面に貼着する。この様に、滑り止め部を保護シートの上から指等で押圧して固定しながら、保護シート用位置決めシートの分割作業、及び、この分割された保護シート用位置決めシートを保護シートから剥がす作業を行うことができるため、保護シートの実際の貼着位置が貼着位置として決定した位置からずれてしまうことを防止することができる。また、位置決めシートにおける、押圧するのに好適な位置を滑り止め部によってユーザに示すことができる。更に、上記構成では、保護シート用位置決めシートを切り込み部によって分割し、分割領域の一部のみを保護シートから剥がして、この位置決めシートが剥がされた部分のみをまず、表示画面に貼着し、その後に、残りの位置決めシートを保護シートから剥がして、保護シートにおける残りの部位を表示画面に貼着する。このため、保護シートの粘着面全域を一度に表示画面に貼着するよりも、保護シートを表示画面に対して貼着する作業が容易になり、保護シートの実際の貼着位置が貼着位置として決定した位置からずれてしまうことを防止することができる。
【０００８】
（２）上記切り込み部は、直線状に延びるように形成されており、上記滑り止め部には、ユーザの指を置く領域が、前記切り込み部の延びる方向に並んで、複数設けられていてもよい。
【０００９】
上記構成によれば、滑り止め部には、ユーザの指を置く領域が複数設けられているため、指で押された部位を中心に、保護シート用位置決めシートが回転して、位置ずれを起こしてしまうことを防止することができる。また、切り込み部が直線状に延びるように形成され、ユーザの指を置く領域は、切り込み部の延びる方向に並んで設けられている。このため、ユーザが指等で滑り止め部を保護シートの上から押さえた状態で、切り込み部から滑り止め部の位置の反対側に向かって位置決めシートを剥がしながら、保護シートを表示画面に貼着していくことができる。これによって、保護シートを表示画面に貼着する操作が容易になる。
【００１０】
（３）上記切り込み部は、前記一方面まで貫通しないように、前記他方面に形成されていてもよい。
【００１１】
上記構成によれば、保護シートを表示画面に貼着する際に、切り込み部で位置決めシートを割ることで、位置決めシートが分割される。切り込み部が他方面から一方面に貫通するように形成されている場合には、一方面の切り込み部のエッジによって、保護シートが傷み易くなるが、上記構成では、一方面に切り込み部のエッジが形成されないため、保護シートが傷むことを防止することができながら、位置決めシートを分割可能にすることができる。
【００１２】
（４）前記滑り止め部は、ポリウレタン製シートで形成されていてもよい。
【００１３】
上記構成によれば、滑り止め部が保護シートの上から指等で表示画面に対して押されたときに、表示画面を傷つけ難く、かつ、ウレタン吸着によって位置決めシートが表示画面から滑り難い。
【００１４】
（５）上記滑り止め部の厚みは、0.05ｍｍ以上、0.5ｍｍ以下であってもよい。
【００１５】
上記構成によれば、上記滑り止め部の厚みが0.05ｍｍ以上あることで、滑り止め効果を十分確保することができ、更に、0.5ｍｍ以下であることで、位置決めシートと表示画面との間隔が広くなりすぎて、保護シートを表示画面に貼着する作業で位置ずれが生じることを効果的に防止することができる。
【００１６】
（６）上記（１）から（５）の何れかに記載の保護シート用位置決めシートと、前記保護シート用位置決めシートの一方面に、その粘着面が貼り付けられた前記保護シートと、を備えたことを特徴とする保護シート付位置決めシートである。
【００１７】
上記構成によれば、上記（１）の発明と同様の作用効果を奏する。
【発明の効果】
【００１８】
上記構成によって、保護シートの貼着位置の位置決め後に、保護シートを表示画面に貼着する作業で位置ずれが生じることを防止することができる保護シート用位置決めシートを提供することができる。
【図面の簡単な説明】
【００１９】
【図１】本実施形態にかかる、保護シート付位置決めシートの斜視図である。
【図２】図１で示す保護シート付位置決めシートを矢印Ａの方向から見た側面図である。
【図３】保護シート付位置決めシートを電子機器の表示画面に配置した状態を示す図である。
【図４】電子機器の表示画面に保護シートを貼着する作業を説明するための図（その１）である。
【図５】電子機器の表示画面に保護シートを貼着する作業を説明するための図（その２）である。
【図６】電子機器の表示画面に保護シートを貼着する作業を説明するための図（その３）である。
【図７】変形例にかかる保護シート付位置決めシートの斜視図である。
【図８】他の変形例にかかる保護シート付位置決めシートの斜視図である。
【図９】他の変形例にかかる保護シート付位置決めシートの斜視図である。
【発明を実施するための形態】
【００２０】
以下に、本発明の一実施形態にかかる保護シート付位置決めシートについて説明する。
【００２１】
（保護シート用位置決めシートの構成）
まず、図１から図３を参照して、本実施形態に係る保護シート付位置決めシートの構成を説明する。図１は、本実施形態にかかる、保護シート付位置決めシートの斜視図である。図２は、図１で示す保護シート付位置決めシートを矢印Ａの方向から見た側面図である。図３は、保護シート付位置決めシートを電子機器の表示画面に配置した状態を示す図である。なお、本実施形態の説明にあたって、図２における手前を「右」、図２における奥を「左」、図２における右を「後」、図２における左を「前」、図２における「上」を「上」、図２における「下」を「下」として説明する。
【００２２】
本実施形態にかかる保護シート付位置決めシート１００は、電子機器の表示画面を保護するためにこの表示画面をカバーするための保護シート２と、電子機器の表示画面に対する保護シートの貼着位置を決定するための保護シート用位置決めシート１（以下、「位置決めシート１」と記載する）とを重ねてなる。電子機器は、例えば、スマートフォン、タブレット型コンピュータ、携帯型ゲーム機、ＰＤＡ、デジタルカメラ、パーソナルコンピュータ、ポータブルメディアプレーヤ等の表示画面を備えた機器である。
【００２３】
保護シート２は、例えば、ＰＥＴ、ポリカーボネート、アクリル、ポリウレタン、シリコン等で形成された透明なシートである。保護シート２の一方面に粘着面が形成される。この粘着面は、例えば、粘着剤が塗布されることで形成され、保護シート２の粘着面によって、保護シート２を位置決めシート１の一方面（上面）及び電子機器３の表示画面３１に着脱自在に貼着することができるようになっている。図３を参照して、保護シート２は、電子機器３の特定の部材をカバーしないようにするために形成された切欠き部２１、２３及び貫通孔２２を有する。例えば、切欠き部２１は、電子機器３の操作ボタン３２をカバーしないために形成されている。切欠き部２３は、電子機器３のスピーカ３３をカバーしないために形成されている。貫通孔２２は、電子機器３のセンサー３４をカバーしないために形成されている。
【００２４】
保護シート用位置決めシート１は、例えば、ポリエチレンテレフタレート樹脂（ＰＥＴ）、ポリカーボネート、アクリル、ポリウレタン、シリコン等で形成された、平面視で四角形の透明のシートである。なお、位置決めシート１の材料は、特にＰＥＴが好ましい。位置決めシート１は、例えば0.03ｍｍ以上、0.1ｍｍ以下の厚みを有する。位置決めシート１は、その一方面（上面）に着脱自在に保護シート２の粘着面が貼り付けられる。
【００２５】
位置決めシート１は、その他方面（下面）に、位置決めのためのガイドマーク１３が設けれている。ガイドマーク１３（１３１、１３２、１３３、１３４）は、図３で示すように、本実施形態では、保護シート２を電子機器３の表示画面３１に正確に位置決めした状態で、平面視において、電子機器３の所定の部材の配置位置と重なる位置に設けられている。本実施形態では、位置決めシート１における電子機器３の表示画面３１の縁に重なる位置に、ガイドマーク１３１が形成されている。位置決めシート１における電子機器３の操作ボタン３２の縁に重なる位置に、ガイドマーク１３２が設けられている。また、位置決めシート１における電子機器３のスピーカ３３の縁に重なる位置に、ガイドマーク１３３が設けられている。位置決めシート１における電子機器３のセンサー３４の縁に重なる位置に、ガイドマーク１３４が設けられている。なお、本実施形態では、ガイドマーク１３は、平面視において、電子機器３の所定の部材の配置位置と重なる位置に設けられているが、この限りではなく、表示画面３１にマークを含む画像を表示させ、このマークに重なる位置に設けられる構成としてもよい。また、保護シート２にガイドマークが設けられている構成等の場合には、位置決めシート１にガイドマーク１３１が形成されていなくてもよい。
【００２６】
なお、各ガイドマーク１３は、グラビア印刷によって設けられているが、他の方法によって設けられていてもよい。また、本実施形態では、位置決めシート１には、その他方面（下面）に各ガイドマーク１３が設けられているが、その一方面（上面）に設けられていてもよい。また、複数のガイドマーク１３の一部がその他方面（下面）に設けられ、複数のガイドマーク１３の残りがその一方面（上面）に設けられていてもよい。言い換えれば、位置決めシート１の一方面（上面）及び／又は他方面（下面）に、位置決めのためのガイドマーク１３が設けられていればよい。また、本実施形態では、ガイドマーク１３は、複数設けられているが、単数設けられていてもよい。
【００２７】
位置決めシート１は、切り込み部１１が形成されて、この切り込み部１１によって複数の分割領域に分割可能に形成されている。本実施形態では、切り込み部１１が一つ形成されて、位置決めシート１は、２つに分割可能に形成されている。なお、３つ以上に分割可能に形成されてもよい。切り込み部１１は、直線状に延びるように形成されている。本実施形態では、切り込み部１１は、位置決めシート１の左端から右端まで、左右方向に直線状に延びるように形成されている。これによって、切り込み部１１によって、後側の分割領域１Ａと、前側の分割領域１Ｂとに分割可能になっている。なお、切り込み部１１は、必ずしも左右方向に延びるように形成される必要がなく、前後方向等の他の方向に延びるように形成されてもよい。また、切り込み部１１は、必ずしも直線状に形成される必要はなく、円弧状等に形成されてもよい。
【００２８】
切り込み部１１は、一方面（上面）まで貫通しないように、他方面（下面）に形成されている。この構成によれば、保護シート２を電子機器３の表示画面３１に貼着する際に、切り込み部１１で位置決めシート１を割ることで、位置決めシート１が分割される。なお、切り込み部１１が他方面（下面）から一方面（上面）に貫通するように形成されている場合には、一方面の切り込み部１１のエッジによって、保護シート２が傷み易くなるが、上記構成では、一方面に切り込み部１１のエッジが形成されないため、保護シート２が傷むことを防止することができながら、位置決めシート１を分割可能にすることができる。また、位置決めシート１に保護シート２を貼着した後に、切り込み部１１を入れる場合には、切り込み部１１を一方面（上面）まで貫通させてしまうと、保護シート２まで切り込まれてしまい、傷が付く可能性がある。本実施形態では、切り込み部１１が一方面（上面）まで貫通しないため、保護シート２まで切り込まれてしまうことを防止することができる。
【００２９】
位置決めシート１には、その他方面における、少なくとも何れか一つの分割領域に滑り止め部１２が形成されている。本実施形態では、前側の分割領域１Ｂに滑り止め部１２が形成されている。なお、前側の分割領域１Ｂに代えて、又は前側の分割領域１Ｂとともに、後ろ側の分割領域１Ａに、滑り止め部１２が形成されていてもよい。滑り止め部１２は、平面視において、切り込み部１１の延びる方向に並ぶ２つの円を繋いだような形状を有しており、各円の部分がそれぞれ指を置く領域１２１、１２２になっている。これによって、滑り止め部１２には、ユーザの指を置く領域１２１、１２２が、切り込み部１１の延びる方向に並んで、複数（２つ）設けられることになる。この様に、滑り止め部１２には、ユーザの指を置く領域１２１、１２２が複数設けられているため、指で押された部位を中心に、位置決めシート１が回転して、位置ずれを起こしてしまうことを防止することができる。また、上述したように、切り込み部１１が直線状に延びるように形成されているが、ユーザの指を置く領域１２１、１２２は、切り込み部１１の延びる方向に並んで設けられている。このため、ユーザが指等で滑り止め部１２を保護シート２の上から押さえた状態で、切り込み部１１から滑り止め部１２の位置の反対側（後ろ側）に向かって位置決めシート１を剥がしながら、保護シート２を電子機器３の表示画面３１に貼着していく作業がし易くなる。これによって、保護シート２を表示画面３１に貼着する操作が容易になる。
【００３０】
なお、本実施形態では、２つの領域１２１、１２２が設けられているが、３つ以上のユーザの指を置く領域が設けられていても、１つのユーザの指を置く領域が設けられていてもよい。なお、３つ以上のユーザの指を置く領域が設けられる場合には、そのうち少なくとも２つは、本実施形態の領域１２１、１２２のように、切り込み部１１の延びる方向に並んで配置されることが好ましい。
【００３１】
滑り止め部１２は、ポリウレタン製シートが位置決めシート１に貼着されることで形成されている。なお、滑り止め部１２は、ポリウレタン製シートを貼着して形成されるに限定されず、他の材料から成るシートを貼着して形成されても、粘着剤等を塗布することで形成されてもよい。もっとも、ポリウレタン製シートが、滑り止め部１２が保護シート２の上から指等で表示画面３１に対して押されたときに、表示画面３１を傷つけ難く、かつ、ウレタン吸着によって位置決めシート１が表示画面３１から滑り難いため、好ましい。なお、滑り止め部１２の下面は、表示画面３１を傷つけないように、マット加工されていることが好ましい。
【００３２】
滑り止め部１２の厚みは、0.05ｍｍ以上、0.5ｍｍ以下である。滑り止め部１２の厚みが0.05ｍｍ以上あることで、滑り止め効果を十分確保することができ、更に、0.5ｍｍ以下であることで、位置決めシート１と表示画面３１との間隔が広くなりすぎて、保護シート２を表示画面３１に貼着する作業で位置ずれが生じることを効果的に防止することができる。
【００３３】
図１で示すように、位置決めシート１の前端部と後端部には、それぞれ十字マーク１４が設けられている。なお、十字マーク１４は、本実施形態では、位置決めシート１の下面に設けられている。十字マーク１４は、保護シート２を貼り付けた状態の位置決めシート１を製造する際に、保護シート２の裁断位置を決定するために使用される。なお、十字マーク１４については、図面の視認性を考慮して、図１の他の図面においては図示を省略する。
【００３４】
（保護シートの貼着方法）
以下に、図４から図６を用いて、保護シート２を電子機器３の表示画面３１に貼着する方法を説明する。まず、図４で示すように、ユーザが、保護シート付位置決めシート１００を電子機器３の表示画面３１が形成された側に配置する。ここで、保護シート付位置決めシート１００を、保護シート２が位置決めシート１を介して電子機器３の上に配置されるように、すなわち、保護シート２が上で位置決めシート１が下になるように、電子機器３の上に配置する。このとき、位置決めシート１のガイドマーク１３が、平面視において、電子機器３の所定の部材と重なるように、保護シート付位置決めシート１００の配置位置を調整する。具体的には、電子機器３の表示画面３１の縁にガイドマーク１３１が重なり、電子機器３の操作ボタン３２の縁にガイドマーク１３２が重なり、電子機器３のスピーカ３３の縁にガイドマーク１３３が重なり、電子機器３のセンサー３４の縁にガイドマーク１３４が重なるように、保護シート付位置決めシート１００の配置位置を調整する。これによって、保護シート２の貼着位置を決定する。
【００３５】
この後、ユーザが保護シート２の上から滑り止め部１２を電子機器３の表示画面３１に対して押す。具体的には、ユーザが、その一方の手（図４では左手）の１本の指（図４では左手中指）で滑り止め部１２の領域１２１を押し、別の１本の指（図４では左手人指し指）で滑り止め部１２の領域１２２を押す。この様に、滑り止め部１２によって、ユーザが押圧すべき位置を示すことができる。この状態で、図５で示すように、他方の手（図４では右手）によって、位置決めシート１における、切り込み部１１を基準として滑り止め部１２の反対側端部を保護シート２とともに摘まんで上方に引っぱる。これによって、位置決めシート１が切り込み部１１で割れて前側の分割領域１Ｂと後側の分割領域１Ａとに分割される。そして、位置決めシート１における後側の分割領域１Ａを、切り込み部１１から後端に向かって保護シート２から剥がしながら、保護シート２を表示画面３１に対して貼着していく。この様に、滑り止め部１２を保護シート２の上から指等で押圧して固定しながら、位置決めシート１の分割作業、及び、この分割された位置決めシート１を保護シート２から剥がす作業を行うことができるため、保護シート２の実際の貼着位置が貼着位置として決定した位置からずれてしまうことを防止することができる。
【００３６】
次に、図６を参照して、位置決めシート１における前側の分割領域１Ｂを切り込み部１１から前端に向かって剥がしながら、保護シート２を電子機器３の表示画面３１に対して貼着する。この構成では、位置決めシート１を切り込み部１１によって分割し、分割領域の一部のみ（後側の分割領域１Ａ）を保護シート２から剥がして、この位置決めシート１が剥がされた部分（後半分）のみをまず、表示画面３１に貼着し、その後に、残りの位置決めシート１（前側の分割領域１Ｂ）を保護シート２から剥がして、保護シート２における残りの部分（前半分）を表示画面３１に貼着する。このため、保護シート２の粘着面全域を一度に表示画面３１に貼着するよりも、保護シート２を表示画面３１に対して貼着する作業が容易になり、保護シート２の実際の貼着位置が貼着位置として決定した位置からずれてしまうことを防止することができる。
【００３７】
（保護シート用位置決めシートの製造方法）
次に、本実施形態に係る保護シート付位置決めシート１００の製造方法の一例を説明する。まず、保護シート２、位置決めシート１を製造するための長尺なシートをそれぞれ形成する。位置決めシート１を製造するための長尺なシートに、ガイドマーク１３及び十字マーク１４のセットを、長尺方向に沿って複数個プリント印刷する。更に、位置決めシート１の短尺方向に沿って直線状に切り込み部１１となる切り込みを形成する。また、保護シート２を製造するためのシートの一方面にわたって粘着面を形成する。保護シート２、位置決めシート１を製造するための長尺なシートをそれぞれロール状とする。なお、保護シート２を製造するためのシートのロールを保護シート用ロールとし、位置決めシート１を製造するためのシートのロールを位置決めシート用ロールと記載する。
【００３８】
そして、保護シート用ロールの一端から保護シート２を製造するためのシートを引き出し、位置決めシート用ロールの一端から位置決めシート１を製造するためのシートを引き出し、保護シート２を製造するためのシートの粘着面と、位置決めシート１を製造するためのシートのガイドマーク１３及び十字マーク１４の形成側とは反対側とを、貼着させる。なお、この貼着は、保護シート２を製造するためのシートの粘着面によって行われる。
【００３９】
この後、十字マーク１４の位置をセンサで検知することで保護シート２の裁断位置を決定して、裁断機によって保護シート２を製造するためのシートを、保護シート２の形状に切断していく。この工程の後、長尺の位置決めシート１に複数の保護シート２が貼着されているもの出来る。その後、位置決めシート１を製造するためのシートを、長尺方向に沿って所定の間隔毎にカットしていく。この様にして、保護シート付位置決めシート１００が製造される。
【００４０】
（変形例）
（１）本実施形態では、滑り止め部１２は、切り込み部１１の延びる方向に並ぶ２つの円を繋いだような形状を有しており、各円の部分がそれぞれ指を置く領域１２１、１２２になっているが、図７で示す滑り止め部１２Ａのように領域１２１、１２２は、繋がっておらず、離間していてもよい。
【００４１】
（２）また、滑り止め部１２は、切り込み部１１の延びる方向に並ぶ２つの円を繋いだような形状を有しているが、この様な形状に限定されず、例えば、図８で示す滑り止め部１２Ｂのように矩形であってもよい。更に、図９で示す滑り止め部１２Ｃのように、矩形の指を置く領域１２１´、１２２´が離間していてもよい。
【符号の説明】
【００４２】
１          保護シート用位置決めシート
１Ａ、１Ｂ  分割領域
１１        切り込み部
１２        滑り止め部
１３        ガイドマーク
２          保護シート
３          電子機器
１００      保護シート付位置決めシート
【図１】
2016092496.tif 000003
【図２】
2016092496.tif 000004
【図３】
2016092496.tif 000005
【図４】
2016092496.tif 000006
【図５】
2016092496.tif 000007
【図６】
2016092496.tif 000008
【図７】
2016092496.tif 000009
【図８】
2016092496.tif 000010
【図９】
2016092496.tif 000011